(57)【要約】【課題】  ファイル名の重複による前画像の消失を防止する。【解決手段】  記憶媒体１から画像ファイル４に画像を複写する。複写しようとする画像ファイルの記録日時データを検索キーとして予定管理データベース３の日時項目を検索する。記録日時を含む登録時間帯を検出した場合、予定管理データベース３の該当時間帯域に対し保存用ファイル名の登録有無を判定する。保存用ファイル名の登録がある場合、複写しようとするファイルのファイル名を変更して、画像ファイル４に格納する。【選択図】  図１
2005109605.tif 000002
【特許請求の範囲】
【請求項１】
電子画像を複製保存する画像管理プログラムにおいて画像データと共に保存された作成日付時刻データを検索キーにし、予め作成された予定履歴データベースを検索し、該当の画像ファイルの撮影日付時刻を含む予定時間帯の行事予定が検出された場合に、予定履歴に記載されている行事予定名と通し番号の合成文字列をファイル名として保存することを特徴とする画像管理装置。
【請求項２】
デジタルカメラなどで撮影された電子画像を複製保存する画像管理装置であって、画像データと共に保存された撮影日付時刻データを検索キーにし、別途予め作成された予定履歴データベースを検索し該当の画像ファイルの撮影日付時刻を含む予定時間帯の行事予定が検出された場合予定履歴に記載されている行事予定名と通し番号の合成文字列をファイル名として保存する事を特徴とする画像管理装置。
【請求項３】
デジタルカメラなどで撮影された電子画像を複製保存する画像管理装置であって、画像データと共に保存された撮影日付時刻データを検索キーにし、別途予め作成された予定履歴データベースを検索し該当の画像ファイルの撮影日付時刻を含む予定時間帯が検出された場合、予定履歴上の該当域に登録された保存ファイル名用の文字列と通し番号の合成文字列をファイル名として保存する事を特徴とする画像管理装置。
【請求項４】
デジタルカメラなどで撮影された電子画像を複製保存する画像管理装置であって、画像データと共に保存された撮影日付時刻データを検索キーにし別途予め作成された予定履歴データベースを検索し該当の画像ファイルの撮影日付時刻を含む予定時間帯の行事予定が検出されず予定履歴上の予備項目名が検出された場合予定履歴に登録された予備項目名の文字列と通し番号の合成文字列をファイル名として保存する事を特徴とする画像管理装置。
【請求項５】
デジタルカメラなどで撮影された電子画像を複製保存する画像管理装置であって、画像データと共に保存された撮影日付時刻データを検索キーにし別途予め作成された予定履歴データベースを検索し該当画像データの撮影日付時刻を含む行事予定又は予備項目名が検出され無い場合予定履歴に新たに該当画像データに対応する履歴項目を追記しこの追記行事予定又は予備項目名と通し番号の合成文字列をファイル名として保存し合わせて履歴項目を追加した予定履歴を再保存する事を特徴とする画像管理装置。
【請求項６】
履歴項目を追加作成しない場合、元画像の撮影日付時刻データから日付部分をフォルダ名とし、このフォルダに元画像ファイル名と通し番号の合成文字列をファイル名として保存する事を特徴とする請求項５に記載の画像管理装置。
【発明の詳細な説明】
【技術分野】
【０００１】
本発明は、電子画像の保管管理を行う場合の画像ファイルの検索性向上を図る為にファイル名の書き換えを行う画像管理装置に関する。
【背景技術】
【０００２】
デジタルカメラで撮影した画像を保存する場合のファイルシステムとして、ＤＣＦ（Ｄｅｓｉｇｎ  ｒｕｌｅ  ｆｏｒ  Ｃａｍｅｒａ  Ｆｉｌｅ  ｓｙｓｔｅｍ）規格が知られている。ＤＣＦでは、ファイル名をＡＢＣＤ０００１．ＪＰＧのように拡張子を除く８文字で構成され、  １〜４文字目は任意の文字列、続く４文字は"０００１"〜"９９９９"のファイル番号となっている。撮影画像をメモリカードなどの記憶媒体に記録する場合、記録毎にファイル番号部をインクリメントして記録する。
【発明の開示】
【発明が解決しようとする課題】
【０００３】
メモリカードなどの記録媒体の内容を別装置の記憶媒体にコピーしようとした場合、新たなフォルダを指定した後にそのフォルダにコピーしない限り、ファイル名が重複する事がありえる。例えば、新規メモリカードまたは、前回、記録内容を全て消去したメモリカードをデジタルカメラに装着し、撮影を開始すると、常にカメラ固定のスタートファイル番号からファイル名が開始されるので、撮影画像は異なるが同じファイル名が発生する。ファイル名の重複防止を行わずにファイルをコピーすると、同一ファイル名の前画像に後画像データを上書き保存する結果となり、前画像の消失につながる。
【０００４】
同一ファイル名の前画像の消失を避けるには、新規フォルダを設定する必要がある。又は、画像を確認しファイル名を変更するなどの煩雑な作業を画像データの保存作業ごとに行うことになる。
【０００５】
本発明は、この様な状況に鑑みて、ユーザに負担をかけずに、画像の消失を効果的に防止できる画像管理装置を提示することを目的とする。
【課題を解決するための手段】
【０００６】
本発明に係る画像管理装置は、電子画像を複製保存する画像管理プログラムにおいて画像データと共に保存された作成日付時刻データを検索キーにし、予め作成された予定履歴データベースを検索し、該当の画像ファイルの撮影日付時刻を含む予定時間帯の行事予定が検出された場合に、予定履歴に記載されている行事予定名と通し番号の合成文字列をファイル名として保存することを特徴とする。
【０００７】
本発明に係る画像管理装置は、デジタルカメラなどで撮影された電子画像を複製保存する画像管理装置であって、画像データと共に保存された撮影日付時刻データを検索キーにし、別途予め作成された予定履歴データベースを検索し該当の画像ファイルの撮影日付時刻を含む予定時間帯の行事予定が検出された場合予定履歴に記載されている行事予定名と通し番号の合成文字列をファイル名として保存する事を特徴とする。
【０００８】
本発明に係る画像管理装置は、デジタルカメラなどで撮影された電子画像を複製保存する画像管理装置であって、画像データと共に保存された撮影日付時刻データを検索キーにし、別途予め作成された予定履歴データベースを検索し該当の画像ファイルの撮影日付時刻を含む予定時間帯が検出された場合、予定履歴上の該当域に登録された保存ファイル名用の文字列と通し番号の合成文字列をファイル名として保存する事を特徴とする。
【０００９】
本発明に係る画像管理装置は、デジタルカメラなどで撮影された電子画像を複製保存する画像管理装置であって、画像データと共に保存された撮影日付時刻データを検索キーにし別途予め作成された予定履歴データベースを検索し該当の画像ファイルの撮影日付時刻を含む予定時間帯の行事予定が検出されず予定履歴上の予備項目名が検出された場合予定履歴に登録された予備項目名の文字列と通し番号の合成文字列をファイル名として保存する事を特徴とする。
【００１０】
本発明に係る画像管理装置は、デジタルカメラなどで撮影された電子画像を複製保存する画像管理装置であって、画像データと共に保存された撮影日付時刻データを検索キーにし別途予め作成された予定履歴データベースを検索し該当画像データの撮影日付時刻を含む行事予定又は予備項目名が検出され無い場合予定履歴に新たに該当画像データに対応する履歴項目を追記しこの追記行事予定又は予備項目名と通し番号の合成文字列をファイル名として保存し合わせて履歴項目を追加した予定履歴を再保存する事を特徴とする。
【発明の効果】
【００１１】
本発明によれば、画像フィル名を予定管理データベースの行事予定などから生成し、本人体験または連想可能な項目名として保存するので、ファイルの識別が容易になり、画像ファイルの検索性が向上する。さらに、リネイムプロセスでファイル名の重複を回避可能となり、同名保存による前画像の消失を防止できる。
【発明を実施するための最良の形態】
【００１２】
以下、図面を参照して、本発明の実施例を詳細に説明する。
【００１３】
図１は、本発明の一実施例の概略構成ブロック図を示す。この実施例では、デジタルカメラなどによって撮影された画像データをＤＯＳファイルとして記憶媒体に記録する画像保存機器を前提としている。ＤＯＳファイルとして記憶媒体に画像データを記録すると、記録時点の日時データがＤＯＳファイルのディレクトリエントリ部に記録される。本実施例では、この日時データが撮影日時データでもある。
【００１４】
画像データを記録した記憶媒体１を画像ファイル４に保存する場合、画像管理装置（実体はプログラム）２は、記憶媒体１に記録された個々の画像データの撮影日時を読取り、これをキーにして予定管理データベース３を参照し、合致した時間帯域の保存用のファイル名または行事予定及び予備項目名の個々の文字列に通し番号を付加したファイル名に置換し、画像ファイル４に保存する。
【００１５】
図２は、ファイル名の置換処理のフローチャートを示す。ユーザは、情報処理機器５に接続された記憶媒体１内の全て又は特定の画像ファイルの取り込みを画像管理装置２に指示する。指定された画像ファイルに対し、ステップＳ２０１で画像ファイルのディレクトリエントリ部に記録された日時データを取得する。取得した日時データを検索キーとしてステップＳ２０２で予定管理データベース３の日時項目を検索する。図５は、予定管理データベース３のデータ例を示す。
【００１６】
検索の結果、画像データの記録日時を含む登録時間帯を検出した場合、ステップＳ２０３に進む。ステップＳ２０３では、予定管理データベース３の該当時間帯域に対し、保存用ファイル名の登録有無を判定する。保存用ファイル名の登録がある場合、保存用ファイル名リネイム保存処理を行う。
【００１７】
ステップＳ２０３の判定で保存用ファイル名登録がない場合、ステップＳ２０４に進み、予定管理データベース３の該当時間帯域に対し行事予定登録判定を実行する。行事予定登録がある場合、行事予定リネイム保存処理を行う。
【００１８】
ステップＳ２０４の判定で行事予定登録がない場合、ステップＳ２０５に進み、予定管理データベース３の該当時間帯域に対し、予備項目の登録有無を判定する。予備項目がある場合、予備項目リネイム保存処理を行う。
【００１９】
ステップＳ２０５で予備項目登録がない場合、ステップＳ２０６の履歴追加入力判定処理を行う。ステップＳ２０２の判定処理で記憶媒体に記録された画像データの撮影日時を含む時間帯登録項目を予定管理データベース３内に検出できない場合も同様に、ステップＳ２０６の履歴追加入力判定処理を行う。ステップＳ２０６では、新たな履歴項目の追加処理を判定する。判定手段は、画像管理装置２のユーザインターフェース装置の操作によって使用者が決定する。履歴項目を追加する場合、ステップＳ２０７で、画像管理装置２のユーザインターフェース装置を介して予定管理データベース３に履歴項目を追加する。
【００２０】
ステップＳ２０７の処理を完了すると、ステップＳ２０２に処理を戻す。その後、ステップＳ２０２以降の処理を繰り返す。
【００２１】
ステップＳ２０６で履歴項目の追加処理を行わない選択を行った場合、日付フォルダ保存処理を行う。図３は、保存用ファイル名リネイム保存処理処理を示す。ステップＳ３０１では、保存用ファイル名に付加する通し番号の初期値＝１を設定する。ステップＳ３０２では、保存用ファイル名文字列にステップＳ３０１のｎの文字列を付加したファイル名を形成する。ステップＳ３０３では、ステップＳ３０２で形成されたファイル名が画像ファイル４中に登録されているかどうかを判定する。登録が無い場合、ステップＳ３０４に進み、ステップＳ３０２で形成したファイル名に置換し、元画像データを画像ファイル４に保存する。
【００２２】
ステップＳ３０３の判定で画像ファイル４中に同名ファイルを検出した場合、ステップＳ３０５で通し番号をインクリメントし、ステップＳ３０２に戻す。その後、新規ファイル名となるまで処理を行い、ステップＳ３０４の保存処理を行う。次に、ステップＳ２０４（図２）で行事予定登録検知により行事予定リネイム保存処理となった場合は不図示であるが、処理ステップＳ３０２及びＳ３０４の保存用ファイル名を行事予定名に替えた処理を行い、リネイム保存を行う。
【００２３】
同様に、ステップＳ２０５で予備項目登録検知により予備項目リネイム保存処理となった場合は不図示であるが、処理ステップＳ３０２及びＳ３０４の保存用ファイル名を予備項目名に替えた処理を行い、リネイム保存を行う。
【００２４】
図４は、ステップＳ２０６で履歴追加入力をしない選択を行った場合の保存処理のフローチャートを示す。この場合、元画像のファイル名を変更せず、そのまま画像ファイル４に保存すると、前述した理由により画像名の重複が発生し得る。従って、保存にあたって元画像のファイル名に通し番号を付加したファイル名で保存するが、識別性を向上させる目的で上位階層のフォルダを作成し、そこに画像を保存する。この処理を図４に示す。
【００２５】
ステップＳ４０１では、画像ファイルの日時データから年月日部分を抽出しフォルダ名としている。ステップＳ４０２では、同名のフォルダを検索し、同名フォルダを検出した場合、保存フォルダとして検出フォルダ名を指定し、ステップＳ４０３へ進む。フォルダ名が検出されない場合、ステップＳ４０７で保存フォルダとしてステップＳ４０１で生成したフォルダ名を指定し、ステップＳ４０３へ進む。
【００２６】
ステップＳ４０３では、通し番号の初期値を指定する。ステップＳ４０４では、元画像ファイル名の文字列に通し番号ｎを付加し、ファイル名とする。ステップＳ４０５では、指定フォルダ内でステップＳ４０４で生成されたファイル名を検索し、同名ファイル名が無い場合、ステップＳ４０６に進む。ステップＳ４０５で同名ファイルが検出された場合、ステップＳ４０８で通し番号をインクリメントし、ステップＳ４０４に戻す。
【００２７】
ステップＳ４０６では、Ｓ４０４で生成されたファイル名にリネイムし画像データを指定フォルダに保存する。図４では、画像ファイルの日時データから年月日部分を抽出し、フォルダ名として自動処理しているが、使用者がフォルダ名を指定する処理（不図示）に変えても良い。
【００２８】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００２９】
【図１】本発明の一実施例の概略構成ブロック図である。
【図２】本実施例の保存処理のフローチャートである。
【図３】ファイル名行事予定置換処理のフローチャートである。
【図４】ファイル名置換フォルダ保存処理のフローチャートである。
【図５】予定履歴データ例である。
【符号の説明】
【００３０】
１：画像ファイル記憶媒体
２：画像管理装置
３：行事予定データベース
４：画像ファイル
５：情報処理機器
【図１】
2005109605.tif 000003
【図２】
2005109605.tif 000004
【図３】
2005109605.tif 000005
【図４】
2005109605.tif 000006
【図５】
2005109605.tif 000007